(57)【要約】【課題】本発明は、特殊な素材を使わずに、一般的な縫合手段によって、特に、脇の下の周辺の肌を保護し、圧迫感を解消し、あわせて整容性を向上させる衣類を提供することを目的とする。【解決手段】前身頃１２０に山型のトップラインを有するキャミソール型の衣類１００において、衣類１００は、平坦な形状を有するストラップ１１０を備え、トップラインの上端から衣類１００の後ろ身頃１３０にかけてストラップ１１０が伸ばしつけられ、前身頃１２０の前襟ぐりおよび後ろ身頃１３０の後ろ襟ぐりにゴム伏せが施される。【選択図】図１
2018031096.tif 000002
【特許請求の範囲】
【請求項１】
前身頃に山型のトップラインを有するキャミソール型の衣類において、
平坦な形状を有するストラップを備え、
前記トップラインの上端から前記衣類の後ろ身頃にかけて前記ストラップが伸ばしつけられ、前記前身頃の前襟ぐりおよび前記後ろ身頃の後ろ襟ぐりにゴム伏せが施されることを特徴とする衣類。
【請求項２】
前記衣類は水着であることを特徴とする請求項１に記載の衣類。
【請求項３】
前記ストラップは、左右一対とし、首の後部で結束することを特徴とする請求項１または２に記載の衣類。
【請求項４】
前記ストラップの短手方向の幅は、前記後ろ身頃の後ろ縫合部から前記前身頃の前縫合部にかけて漸増することを特徴とする請求項１から３のいずれかに記載の衣類。
【請求項５】
前記ストラップの前記後ろ身頃における伸ばしつけの末端の位置が、前裏の左右一対のカップ部が形成する下端ラインより下方となることを特徴とする請求項１から４のいずれかに記載の衣類。
【発明の詳細な説明】
【技術分野】
【０００１】
本発明は、衣類に関するものであり、詳しくは、女性用の水着に関するものである。
【背景技術】
【０００２】
女性用水着は、伸縮性のある素材によって、身体に密着する。ワンピース型の女性用水着の袖ぐりや襟ぐりといった外縁部は、高い伸縮性と密着性を得るために、ゴム伏せによって縫合する手段が一般的に採用されている。
【０００３】
ところが、女性用水着の外縁部は、伸縮性の高さに起因して、肌に当接する部分を圧迫し、使用者に不快感を与えることがある。特に、袖ぐりの圧迫によって圧迫部位周辺の皮下脂肪の隆起が生じると、使用者には水着の圧迫による不快感が生じるのみならず、外観や整容性の懸念を感じることになる。
【０００４】
そこで、女性用水着の外縁部を縫合以外の手段によって加工し、全体的に伸縮性を有しながら、外縁部が肌に食い込むことなく肌を保護することができる衣類の発明が公開されている。例えば、特許文献１は、半硬化状態のシリコーンゴムからなるシートを衣類の縁部、伸縮性強化部または生地接続部に配置し、伸縮性生地とともに加熱加硫して伸縮性生地と一体成形するというものである。この発明における衣類は、縫合が不要であり、衣類の縁部、伸縮性強化部または生地接続部は平坦に仕上がり、柔軟で十分な伸縮性がある。
【先行技術文献】
【特許文献】
【０００５】
【特許文献１】特開２００８−１３８９９号公報
【発明の概要】
【発明が解決しようとする課題】
【０００６】
しかしながら、半硬化状態のシリコーンゴムからなるシートを衣類の縁部、伸縮性強化部または生地接続部に配置し、伸縮性生地と一体成形するという衣類の製造における処理は、加熱、加硫および乾燥に時間がかかる。
【０００７】
そこで、本発明は、特殊な素材を使わずに、一般的な縫合手段によって、特に、脇の下の周辺の肌を保護し、圧迫感を解消し、あわせて整容性を向上させる衣類を提供することを目的とする。
【課題を解決するための手段】
【０００８】
すなわち、本発明は前記した目的を達成せんとするもので、請求項１の手段は、前身頃に山型のトップラインを有するキャミソール型の衣類において、前記衣類は、平坦な形状を有するストラップを備え、前記トップラインの上端から前記衣類の後ろ身頃にかけて前記ストラップが伸ばしつけられ、前記前身頃の前襟ぐりおよび前記後ろ身頃の後ろ襟ぐりにゴム伏せが施されることを特徴とする。
【０００９】
また、請求項２の手段は、前記衣類は水着であることを特徴とする。
【００１０】
また、請求項３の手段は、前記ストラップは、左右一対とし、首の後部で結束することを特徴とする。
【００１１】
また、請求項４の手段は、前記ストラップの短手方向の幅は、前記後ろ身頃の後ろ縫合部から前記前身頃の前縫合部にかけて漸増することを特徴とする。
【００１２】
また、請求項５の手段は、前記ストラップの前記後ろ身頃における伸ばしつけの末端の位置が、前裏の左右一対のカップ部が形成する下端ラインより下方となることを特徴とする。
【発明の効果】
【００１３】
本発明の衣類のストラップは、その縫合部およびそれ自体はゴムを使用せず、伸縮性は生地の素材に依存するため、着用時に女性が不快に感じる脇の周辺の食い込みが生じにくい。また、ストラップは、肌に当接する外縁部が、いわゆる「わ」の状態になっているため、脇の周辺において、肌の擦れが生じにくい。本発明の衣類は、脇の周辺の食い込みや擦れを軽減する構成によって、着用時の肌の保護および圧迫感の解消を実現し、整容性を向上させる。このとき、ストラップは、一般的な縫合手段によって前身頃および後ろ身頃に縫い合わせることが可能であるため、量産にも支障がない。
【００１４】
本実施例のストラップをホルターネック型とすることによって、ストラップは、端部の結び目の位置によって、脇の周辺の生地の密着性を制御することができ、後ろ身頃まで伸ばしつけされることによって、脇の周辺の締め付けの緩和と、脇の周辺の生地の高い密着性の確保を両立することができる。
【００１５】
また、本実施例のストラップの短手方向の幅が、後ろ身頃の後ろ縫合部から前身頃の前縫合部にかけて漸増する構成とすることによって、ストラップの短手方向の幅の漸増に伴ってストラップの密着性も高まり、特に、脇の周辺のフィット感が向上する。
【００１６】
また、本発明の衣類は、ストラップの後ろ身頃における伸ばしつけの末端の位置が、前裏の左右一対のカップ部が形成する下端ラインより下方となる構成とすることによって、伸ばしつけによる反発力が、胸部を下から支え、整容性を向上する。
【図面の簡単な説明】
【００１７】
【図１】本発明の衣類の着用状態の斜視図である。
【図２】本発明の衣類に使用するストラップの正面図である。
【図３】本発明の衣類の正面図である。
【図４】本発明の衣類の身頃とストラップとの縫合部の拡大図である。
【図５】本発明の衣類の背面図である。
【図６】本発明の衣類の前裏の正面図である。
【図７】本発明の衣類の後ろ裏の正面図である。
【図８】比較のための衣類の着用状態の斜視図である。
【発明を実施するための形態】
【実施例１】
【００１８】
以下、本発明について、実施するための形態を図面にしたがって説明する。
【００１９】
図１は、本発明の衣類１００の着用状態の斜視図であり、（ａ）は前面側から、（ｂ）は背面側からの斜視図である。衣類１００は、前身頃１２０に山型のトップラインを有するキャミソール型のアウターウェアであり、女性用水着として好適であるが、女性用水着に限定されるべきものではない。衣類１００は、平坦な形状を有するストラップ１１０が、前身頃１２０および後ろ身頃１３０に縫い合わされる。以下において、本発明の衣類の製造工程を説明する。
【００２０】
図２は、衣類１００に使用するストラップ１１０の正面図である。ストラップ１１０は１枚の生地を中表にして折る。合わせ部分の一部は、前身頃１２０および後ろ身頃１３０に縫い合わせるための縫い代１１１とする。縫い代１１１と、合わせ部分の他の部分との境目には、切り込み１１２を設ける。ストラップ１１０の縫い代１１１は、前身頃１２０および後ろ身頃１３０に沿って縫い合わせるため、合わせ部分から折り目に向かって、斜め方向に丸みをもって裁断される。合わせ部分のうち、縫い代１１１を除く部分は、袋縫いの要領で縫い合わせ、裏返して縫い目を隠す。袋縫いによって、ストラップ１１０は平坦な形状となり、折り目の部分は、いわゆる「わ」の状態となる。ストラップ１１０の生地は、前身頃１２０および後ろ身頃１３０の生地とは、同じであっても異なっていても良い。
【００２１】
図３は、衣類１００の正面図である。前身頃１２０にストラップ１１０が縫い合わされる。本発明においては、前身頃１２０のトップラインの上端１２１から始まるストラップ１１０の縫い合わせ部分を縫合部という。また、前身頃１２０の縫合部を前縫合部１２２という。前襟ぐり１２３はゴム伏せが施される。前襟ぐり１２３は、ゴム伏せによって伸縮性が高くなり、肌に密着する。前縫合部１２２および前襟ぐり１２３は、あらかじめ裏地が挟み込まれて縫い合わされる。ストラップ１１０は、縫い代１１１の部分が、前縫合部１２２に対して伸ばしつけによって縫い合わされる。かん止め１２４は、ストラップ１１０と前身頃１２０の補強のために、上端１２１から前縫合部１２２に沿って設けられる。前縫合部１２２は正面から見て略ハの字になるため、ストラップ１１０を前身頃１２０に縫い合わせると、ストラップ１１０も略ハの字に形成される。なお、裏地については後述する。
【００２２】
図４は、前身頃１２０および後ろ身頃１３０とストラップ１１０との縫合部の拡大図である。ストラップ１１０は、後ろ身頃１３０にも引き続き伸ばしつけによって縫い合わされる。前縫合部１２２と同様に、後ろ身頃１３０の縫合部を後ろ縫合部１３１という。ストラップ１１０の縫い代１１１の形状によって、ストラップ１１０の短手方向の幅は、前身頃１２０の前縫合部１２２から後ろ身頃の後ろ縫合部１３１から前身頃１２０の前縫合部１２２にかけて漸増する。
【００２３】
図５は、衣類１００の背面図である。後ろ縫合部１３１に対するストラップ１１０の縫い合わせは、左右が均等になるように行われる。かん止め１３２は、後ろ縫合部１３１の末端に設けられる。左右のかん止め１３２の間の後ろ襟ぐり１３３は、前襟ぐり１２３と同様に、ゴム伏せが施される。
【００２４】
衣類１００は、前襟ぐり１２３および後ろ襟ぐり１３３がゴム伏せで縫い合わされているため、ゴムの伸縮性によって前襟ぐり１２３および後ろ襟ぐり１３３の直下に若干のしわができる。一方で、前縫合部１２２および後ろ縫合部１３１はゴム伏せが施されておらず、ストラップ１１０を伸ばしつけられることによって、前縫合部１２２および後ろ縫合部１３１にあたる脇の周辺の締め付けが適度に緩和される。
【００２５】
ストラップ１１０は、左右一対とし、端部１１３を首の後部で結束する、いわゆるホルターネック型であることが好ましい。ストラップ１１０は、端部１１３の結び目の位置によって、脇の周辺の生地の密着性を制御することができる。ホルターネック型のストラップ１１０は、後ろ身頃１３０まで伸ばしつけされることによって、脇の周辺の締め付けの緩和と、脇の周辺の生地の高い密着性の確保を両立することができる。しかし、ストラップ１１０はホルターネック型に限定されるべきものではなく、密着性を制御するための他の手段を採用しても良いし、生地に伸縮性がある素材を用いていれば、必ずしも密着性を制御できずとも良い。
【００２６】
また、ストラップ１１０は、太い部分ほど肌に当接する度合いが高い。そこで、ストラップ１１０の短手方向の幅が、後ろ身頃１３０の後ろ縫合部１３１から前身頃１２０の前縫合部１２２にかけて漸増する構成とすることが好ましい。そのような構成とすることによって、ストラップ１１０の短手方向の幅の漸増に伴ってストラップ１１０の密着性も高まり、特に、脇の周辺のフィット感が向上する。しかし、ストラップ１１０の短手方向の幅は、必ずしも後ろ縫合部１３１から前縫合部１２２にかけて漸増する形状であることに限定されるべきものではなく、脇の周辺において、ある程度の幅があれば良い。
【００２７】
図６は、衣類１００の前裏１４０の正面図である。本実施例においては、衣類１００に、裏地として肌あたりの良い素材を用いる。裏地の素材の一例としては、ウーリーが挙げられる。しかし、裏地の存在、裏地の素材等は限定されるべきものではない。前裏１４０は、３枚の生地を使用し、２枚は胸部、他の１枚は腹部に用いる。
【００２８】
胸部用裏地１４１は、生地を２枚重ねとし、上端部を前襟ぐり１２３に縫い合わせる。さらに、胸部用裏地１４１の下端部をメッシュテープ１４２と縫い合わせ、メッシュテープ１４２の長手方向と直交するように前襟ぐり１２３からメッシュテープ１４２までステッチ縫いを行い、仕切り１４３とする。前襟ぐり１２３、メッシュテープ１４２および仕切り１４３によって区切られた２つの袋状の空間は、胸パッド１４４が挿入されるカップ部１４５となる。パッド挿入口１４６は、胸部用裏地１４１の肌に当接しない側のみ、前縫合部１２２と縫い合わせる。
【００２９】
本実施例は、図４に示すとおり、胸パッド１４４は、前縫合部１２２にて開口するパッド挿入口１４６から挿入する構成であるが、これに限定されるべきものではない。一例として、パッド挿入口１４６を前縫合部１２２と縫い合わせ、仕切り１４３を開口し、その開口部から胸パッド１４４を挿入する構成とすることが挙げられる。パッド挿入口１４６を前縫合部１２２と縫い合わせることは、前縫合部１２２の伸縮性を高めるものではなく、ストラップ１１０の肌への密着性および脇の周辺の締め付けに影響するものではない。また、胸部用裏地１４１の中央を、胸パッド１４４を挿入するための開口部とする構成は、胸パッド１４４が左右一体型である場合に至便である。
【００３０】
腹部用裏地１４７は、上端部がメッシュテープ１４２の下端部と縫い合わされる。胸部用裏地１４１と腹部用裏地１４７との接続にメッシュテープ１４２を用いることによって、胸部の下部の蒸れを軽減することができる。
【００３１】
図７は、衣類１００の後ろ裏１５０の正面図である。後ろ裏１５０は、前裏１４０とは別に１枚の生地を使用する。後ろ裏１５０は、前裏１４０ならびに後ろ縫合部１３１および後ろ襟ぐり１３３と縫い合わされる。前裏１４０および後ろ裏１５０は、前身頃１２０および後ろ身頃１３０の下部とは縫い合わされない、いわゆるフラシという状態にする。フラシにすることによって、裏地をショーツに入れることが可能である。裏地をショーツに入れることによって、身頃がめくれたときに、腹部の肌の露出を防止することができる。
【００３２】
本発明の衣類１００は、後ろ身頃１３０を小さくし、背中を大きく開いた仕立てとすることも可能である。この場合は、ストラップ１１０を長くするに伴い、縫い代１１１も長くする。ストラップ１１０の後ろ身頃１３０における伸ばしつけの末端の位置が、前裏１４０の左右一対のカップ部１４５が形成する下端ラインより下方となる構成とすることによって、伸ばしつけによる反発力が、胸部を下から支え、整容性を向上する。
【００３３】
図８は、比較のための一般的なトップラインが山型であるキャミソール型の女性用水着（以下、「比較用一般的水着２００」という。）の着用状態の斜視図である。
【００３４】
比較用一般的水着２００は、肩紐２０１がトップラインの上端２０２と接続し、身頃２０３の袖ぐり２０４および襟ぐり２０５には伸縮性を持たせるためにゴムを加えたステッチ縫いが行われる。
【００３５】
本発明の衣類１００は、比較用一般的水着２００と比較すると、比較用一般的水着２００の袖ぐり２０４に相当する部分である前縫合部１２２および後ろ縫合部１３１に、ゴムを加えない平坦な形状であるストラップ１１０が縫い合わされている点が相違する。
【００３６】
本発明の衣類のストラップ１１０は、その縫合部およびそれ自体はゴムを使用せず、伸縮性は生地の素材に依存するため、着用時に女性が不快に感じる脇の周辺の食い込みが生じにくい。比較用一般的水着２００の袖ぐり２０４が伸縮によって食い込みを生じさせるのとは対照的である。また、ストラップ１１０は、肌に当接する外縁部が、いわゆる「わ」の状態になっているため、脇の周辺において、肌の擦れが生じにくい。本発明の衣類１００は、脇の周辺の食い込みや擦れを軽減する構成によって、着用時の肌の保護および圧迫感の解消を実現し、整容性を向上させる。このとき、ストラップ１１０は、一般的な縫合手段によって前身頃１２０および後ろ身頃１３０に縫い合わせることが可能であるため、量産にも支障がない。
【符号の説明】
【００３７】
１００…衣類。
１１０…ストラップ、１１１…縫い代、１１２…切り込み、１１３…端部。
１２０…前身頃、１２１…上端、１２２…前縫合部、１２３…前襟ぐり、１２４…かん止め。
１３０…後ろ身頃、１３１…後ろ縫合部、１３２…かん止め、１３３…後ろ襟ぐり。
１４０…前裏、１４１…胸部用裏地、１４２…メッシュテープ、１４３…仕切り、１４４…胸パッド、１４５…カップ部、１４６…パッド挿入口、１４７…腹部用裏地。
１５０…後ろ裏。
２００…比較用一般的水着、２０１…肩紐、２０２…上端、２０３…身頃、２０４…袖ぐり、２０５…襟ぐり。
【図１】
2018031096.tif 000003
【図２】
2018031096.tif 000004
【図３】
2018031096.tif 000005
【図４】
2018031096.tif 000006
【図５】
2018031096.tif 000007
【図６】
2018031096.tif 000008
【図７】
2018031096.tif 000009
【図８】
2018031096.tif 000010
【手続補正書】
【提出日】平成29年9月19日(2017.9.19)
【手続補正１】
【補正対象書類名】特許請求の範囲
【補正対象項目名】請求項１
【補正方法】変更
【補正の内容】
【請求項１】
前身頃に山型のトップラインを有するキャミソール型の衣類において、
平坦な形状を有するストラップを備え、
前記ストラップは縫合部およびそれ自体はゴムを使用せず、前記トップラインの上端から前記衣類の後ろ身頃にかけて前記ストラップが伸ばしつけられ、前記前身頃の前襟ぐりおよび前記後ろ身頃の後ろ襟ぐりにゴム伏せが施され、前記前身頃の前縫合部および前記後ろ身頃の後ろ縫合部はゴム伏せが施されないことを特徴とする衣類。
【手続補正２】
【補正対象書類名】明細書
【補正対象項目名】０００８
【補正方法】変更
【補正の内容】
【０００８】
すなわち、本発明は前記した目的を達成せんとするもので、請求項１の手段は、前身頃に山型のトップラインを有するキャミソール型の衣類において、前記衣類は、平坦な形状を有するストラップを備え、前記ストラップは縫合部およびそれ自体はゴムを使用せず、前記トップラインの上端から前記衣類の後ろ身頃にかけて前記ストラップが伸ばしつけられ、前記前身頃の前襟ぐりおよび前記後ろ身頃の後ろ襟ぐりにゴム伏せが施され、前記前身頃の前縫合部および前記後ろ身頃の後ろ縫合部はゴム伏せが施されないことを特徴とする。